(57)【要約】【課題】印刷ジョブの画像処理属性が変更される必要があるときの時間の無駄が低減される印刷装置および方法を改善する。【解決手段】取消し命令を受け取るステップと、画像処理属性に従って実行される印刷ジョブのアクティブな印刷プロセスを取り消すステップとを含む、印刷エンジンと、ローカルユーザインタフェースユニットと、制御ユニットとが設けられた印刷装置上で、印刷プロセスを実行する方法に関するものである。方法は、さらに、ローカルユーザインタフェースユニットを介して印刷ジョブの画像処理属性を変更する命令を受け取るステップと、変更された画像処理属性による印刷ジョブをラスタ画像に変換するステップと、変更された画像処理属性による印刷ジョブの印刷プロセスをアクティブ化するステップとを含む。また、本発明は、印刷エンジンと、ローカルユーザインタフェースと、制御ユニットとを備える印刷装置にも関するものである。【選択図】図６
2007066308.tif 000002
【特許請求の範囲】
【請求項１】
ローカルユーザインタフェースユニットを介して取消し命令を受け取るステップ（Ｓ２）と、画像処理属性に従って実行される印刷ジョブのアクティブな印刷プロセスを取り消すステップ（Ｓ４）とを含む、印刷エンジンと、ローカルユーザインタフェースユニットと、制御ユニットとが設けられた印刷装置上で印刷プロセスを実行する方法であって、該方法が、ローカルユーザインタフェースユニットを介して印刷ジョブの画像処理属性を変更する命令を受け取るステップ（Ｓ６）と、変更された画像処理属性による印刷ジョブをラスタ画像に変換するステップ（Ｓ８）と、変更された画像処理属性による印刷ジョブの印刷プロセスをアクティブ化するステップ（Ｓ１０）とをさらに含むことを特徴とする、方法。
【請求項２】
変更された画像処理属性を有する印刷ジョブの印刷プロセスをアクティブ化するステップ（Ｓ１０）が、変更された画像処理属性を有する印刷ジョブを、ラスタ画像に変換するステップ（Ｓ８）が完了次第自動的に実行される、請求項１に記載の印刷装置上で印刷プロセスを実行する方法。
【請求項３】
変更された画像処理属性を有する印刷ジョブの印刷プロセスをアクティブ化するステップ（Ｓ１０）が、ローカルユーザインタフェースユニットを介して再開命令を受け取り次第実行される、請求項１に記載の印刷装置上で印刷プロセスを実行する方法。
【請求項４】
印刷エンジン（２）と、ローカルユーザインタフェースユニット（１２）と、画像処理属性を有する印刷ジョブをラスタ画像に変換するように構成され、さらに、ローカルユーザインタフェースユニット（１２）を介して入力される取消し命令を受け取り次第、画像処理属性を有する印刷ジョブのアクティブな印刷プロセスを取り消すようにも構成された、印刷プロセスを制御するための制御ユニット（５２）とを備える印刷装置であって、制御ユニット（５２）が、さらに、アクティブな印刷ジョブがローカルユーザインタフェースユニット（１２）を介して取り消されたときに、ローカルユーザインタフェース（１２）を介して入力される変更された画像処理属性を受け取り、変更された画像処理属性を有する印刷ジョブをラスタ画像に変換するようにも構成されていることを特徴とする、印刷装置。
【請求項５】
ローカルユーザインタフェース（１２）が、印刷エンジン（２）に統合されている、請求項４に記載の印刷装置。
【請求項６】
制御ユニットが、画像処理属性を有する印刷ジョブをラスタ画像に変換する画像処理ユニット（５４）を備える、請求項４または５に記載の印刷装置。
【請求項７】
制御ユニット（５２）が、印刷エンジンに統合されている、請求項４、５または６に記載の印刷装置。
【請求項８】
印刷エンジン（２）のすぐそばの場所に位置する、制御ユニットとローカルユーザインタフェースとを含む印刷サーバ（２６）を備える、請求項４に記載の印刷装置。
【請求項９】
少なくとも１つの処理装置に、請求項１から３のいずれか一項に記載の方法を実行させる命令を含む、コンピュータ可読媒体上にあるコンピュータプログラム製品。
【発明の詳細な説明】
【技術分野】
【０００１】
本発明は、ローカルユーザインタフェースユニットを介して取消し命令を受け取るステップと、画像処理属性に従って実行される印刷ジョブのアクティブな印刷プロセスを取り消すステップとを含む、印刷エンジンと、ローカルユーザインタフェースユニットと、制御ユニットとが設けられた印刷装置上で印刷プロセスを実行する方法に関する。
【０００２】
本発明は、さらに、印刷エンジンと、ローカルユーザインタフェースユニットと、画像処理属性を有する印刷ジョブをラスタ画像に変換するように構成され、さらに、ローカルユーザインタフェースユニットを介して入力される取消し命令を受け取り次第、画像処理属性を有する印刷ジョブのアクティブな印刷プロセスを取り消すようにも構成されている、印刷プロセスを制御する制御ユニットとを備える、印刷装置に関する。
【０００３】
また、本発明は、少なくとも１つの処理装置に、本発明の方法ステップを実行させる命令を含む、コンピュータ可読媒体上にあるコンピュータプログラム製品も提供する。
【背景技術】
【０００４】
一般に、開示する種類の印刷装置には、印刷エンジンの制御パネル上に「取消し」ボタンが設けられている。ユーザは、単に「取消し」ボタンを押すだけで、実行依頼した印刷ジョブのアクティブな印刷プロセスを取り消す。多くの場合、ユーザは、最初に印刷された領域が出力印刷媒体上に現れたときに、印刷ジョブの画像処理属性が誤っていることに気付くとすぐに、実行依頼した印刷ジョブのアクティブな印刷プロセスを取り消す。ユーザは、印刷ジョブがそこから実行依頼された自分のワークステーションまで戻り、印刷ジョブの画像処理属性を変更し、変更した印刷ジョブを実行依頼し、再び印刷装置のところに戻らなければならない。これは時間の無駄である。しかも、ユーザが、印刷される画像の視覚的態様に対する印刷ジョブの異なる画像処理属性の効果を試そうとするとき、知られている方法は非常に効率が悪い。
【発明の開示】
【発明が解決しようとする課題】
【０００５】
本発明の目的は、印刷ジョブの画像処理属性が変更される必要があるときの時間の無駄が低減されるように、上記の種類の印刷プロセスを実行する印刷装置および方法を改善することである。
【課題を解決するための手段】
【０００６】
本発明は、上記の種類の方法でのこの目的を、ローカルユーザインタフェースユニットを介して印刷ジョブの画像処理属性を変更する命令を受け取るステップと、変更された画像処理属性による印刷ジョブをラスタ画像に変換するステップと、変更された画像処理属性による印刷ジョブの印刷プロセスをアクティブ化するステップとを実行することによって達成する。時間の無駄は大幅に低減される。効率を高めることが重要であるため、上述された試験的状態では、これはさらに有益である。
【０００７】
本発明は、上記の種類の印刷装置でのこの目的を、さらに、アクティブな印刷ジョブがローカルユーザインタフェースユニットを介して取り消されたときに、ローカルユーザインタフェースを介して入力される変更された画像処理属性を受け取り、変更された画像処理属性を有する印刷ジョブをラスタ画像に変換するようにさらに構成されている制御ユニットを用いて達成する。
【０００８】
よって、ユーザは、印刷ジョブがそこから実行依頼されたワークステーションまで戻ることを強いられずに、ローカルインタフェースを介して多数の画像処理属性を変更し、変更された属性を有する印刷プロセスを実行させることができる。
【０００９】
次に、添付の図面を参照して、本発明の実施形態を説明する。
【発明を実施するための最良の形態】
【００１０】
図１において、ワークステーション２８、３０、３２は、それぞれ、ネットワークＮを介して印刷装置１に接続されている情報処理装置の例である。ネットワークＮはローカルエリアネットワーク（ＬＡＮ）、インターネットなどとすることができる。接続がケーブル１７の形で図示されているとはいえ、ネットワークＮは無線ＬＡＮとすることもできる。印刷装置１は、画像を印刷する印刷エンジン２と、印刷プロセスを制御する制御ユニット５２と、ローカルユーザインタフェースユニット１２とを備える。本発明による印刷装置の一実施形態では、ローカルユーザインタフェースユニット１２は印刷エンジン２に統合され、制御ユニット５２は印刷エンジン２内部に配置される。制御ユニット５２は、画像が、印刷エンジン２によって、確実に、ワークステーション２８、３０または３２のいずれかから実行依頼された印刷ジョブに従って、印刷媒体上に印刷されるようにする。印刷ジョブは、印刷されるべき画像データ、および、画像処理属性や印刷設定などの印刷パラメータを含む。
【００１１】
印刷エンジン２は、任意の数の印刷技法を使用してもよい。印刷エンジン２は、例えば、熱または圧電インクジェットプリンタ、ペンプロッタ、または有機光電導体技術に基づくプレスシステムなどとすることができる。図１に示す例において、印刷は、シアン、マゼンタ、イエロー、ブラックなど４つの異なる基本インクが設けられた大判インクジェットプリンタを使って実現される。基本インクは、インクジェット印刷ヘッドにインクを供給するための４つのインク容器４に格納される。画像は、ペーパーロール６のいずれかによって供給される紙などのインク受理媒体（印刷媒体）上に印刷される。印刷された紙は、排紙トレー８に置かれる。ハウジング１０は、画像を帯状に印刷するキャリッジ上に装着された印刷ヘッド（図示せず）を含む。ローカルユーザインタフェースユニット１２は、印刷エンジンに統合されており、表示ユニット１３および制御パネル１４を備える。表示ユニット１３は、印刷ジョブの状況、印刷ジョブの画像処理属性、印刷装置の状況などを表示するように構成される。制御パネル１４は、ユーザの命令を入力するのに使用される、テンキーパッド、開始キーなどの機械的ハードウェアキーを含む。制御パネル１４は、例えば、表示ユニット１３上に表示されるタッチパネル型の操作ウィンドウ上のタッチパッドキーなどのソフトウェアキーを含んでいてもよい。
【００１２】
ユーザインタフェースユニット１２は、印刷エンジン２内部に配置された制御ユニット５２に接続され、ユーザにより、制御パネルを介して制御ユニット５２に入力される命令を送るように構成される。制御ユニット５２は、印刷エンジンには印刷プロセスを制御するコマンドを、ローカルユーザインタフェース１２には表示ユニット１３上に適切な操作ウィンドウを表示させるコマンドを発行するように構成される。
【００１３】
ユーザが、ワークステーション２８、３０または３２のいずれかから、デジタル文書、例えば、ＨＰ−ＧＬ／２形式を有する設計図を印刷しようとするとき、ユーザは、自分のモニタのアプリケーションウィンドウに含まれるこの目的のアイコンをクリックすることによって、クライアントアプリケーションを呼び出す。このクライアントアプリケーションは、ユーザが、印刷ジョブを作成して印刷装置に実行依頼することを可能にし、それによってユーザは、印刷ジョブに画像処理属性および印刷設定を割り当てる。印刷ジョブは、印刷されるべき画像データと、後段で論じる画像処理属性や印刷設定などのパラメータとを含む。画像処理属性および印刷設定は、パラメータに従って印刷ジョブの印刷プロセスを実行するよう印刷装置を制御するのに使用されるパラメータである。印刷ジョブが作成されると、それは、ネットワークＮを介して制御ユニット５２に転送される。ファイルの送信には、ｈｔｔｐネットワーク通信が使用されてもよい。
【００１４】
図２に示すように、印刷装置１の制御ユニット５２は、中央処理装置（ＣＰＵ）４０、ランダムアクセスメモリ（ＲＡＭ）４８、読取り専用メモリ（ＲＯＭ）６０、ネットワークカード４６、ハードディスク（ＨＤ）５０および、ラスタ画像プロセッサ、すなわちＲＩＰなどの画像処理ユニット５４を備える。上述されたユニットは、バスシステム４２を介して相互に連結されている。
【００１５】
ＣＰＵ４０は、ＲＯＭ６０またはＨＤ５０に格納された制御プログラムに従って、制御ユニット５２、ローカルユーザインタフェース１２および印刷エンジン２の各ユニットを制御する。また、ＣＰＵ４０は、後述する図３の流れ図に示すプロセスを実行するのに必要とされるコンピュータプログラムも制御する。
【００１６】
ＲＯＭ６０は、ＣＰＵ４０によって読み出され、実行されるべき、ブートプログラム、セットアッププログラム、様々なセットアップデータといったプログラムおよびデータを格納する。
【００１７】
ハードディスク５０は、ＣＰＵ４０に後述する印刷プロセスを実行させるプログラムおよびデータを格納し、保管する記憶ユニットの一例である。また、ハードディスク５０は、外部から実行依頼された印刷ジョブのデータを保管する領域も備える。ＨＤ５０上のプログラムおよびデータは、必要に応じ、ＣＰＵ４０によってＲＡＭ４８上に読み出される。ＲＡＭ４８は、ＣＰＵ４０によってＲＯＭ６０およびＨＤ５０から読み出されたプログラムおよびデータを一時的に格納する領域、ならびにＣＰＵ４０によって様々なプロセスを実行するのに使用される作業領域を備える。
【００１８】
ネットワークカード４６は、制御ユニット５２をネットワークＮに接続し、ワークステーション２８、３０、３２ならびにその他の装置との通信を提供するように設計される。
【００１９】
画像処理ユニット５４は、制御ユニット５２上で動作するオペレーティングシステムのソフトウェアコンポーネントとして、またはＣＰＵ４０上で実行されるファームウェアプログラムとして実施されてもよい。画像処理ユニット５４は、印刷ジョブデータを読み取り、解釈し、ラスタ化する機能を有する。上記印刷ジョブデータは、印刷されるべき画像データ、すなわちページ記述言語などで記述された、印刷されるべき文書の内容を記述するフォントおよびグラフィックス、画像処理属性および印刷設定を含む。
【００２０】
解釈機能は、印刷ジョブデータを調べて、データに埋め込まれた、プリンタ制御、ページフォーマット、フォント管理、テキストレイアウト、グラフィックスなどのコマンドを識別する。インタープリタは、ラスタ化ステップに適するフォーマットのデータであるコードを生成する。ラスタ化は、印刷用画像を作成するプロセスの最終段階であり、上記コードを印刷エンジンによって使用されるドット列、すなわちラスタ画像に変換する。ラスタ画像ファイルが用意されると、これが印刷エンジンに渡される。
【００２１】
画像処理属性は、印刷ジョブに割り当てられる、ラスタ化時に獲得されるラスタ画像に影響を及ぼすパラメータである。画像処理属性の一例が、印刷ジョブに割り当てられる印刷解像度である。割り当てられる解像度によって、１インチ当たりの印刷ドット数が異なる。画像処理属性の別の例が、印刷ジョブに割り当てられるカラーモードである。選択されたカラーモードが単色である場合、（例えば）黒インクに対応するドットだけがラスタ画像に表される。他方、印刷ジョブにカラーモードが割り当てられた場合、ラスタ画像は、それぞれが、所与の色で印刷されるべきドットを記述する多くの色平面、例えばシアン、マゼンタ、イエロー、ブラックの平面などを含む。画像処理属性の他の例には、色修正、色エミュレーション、輪郭線の鮮明さなどの画像強化、誤り拡散、マスキングなどの中間調化方法の種類、画像スケーリングなどが含まれる。また、選択された印刷媒体の種類も、画像データをラスタ化する際に獲得されるドット列に影響を及ぼし得るため、画像処理属性の一例である。印刷媒体の吸収特性に応じて、満足のいく印刷画像の外観を作り出すために、多かれ少なかれインクドットが使用される必要がある。印刷媒体の１種は「光沢紙」とすることができ、別の種類は「普通紙」とすることができ、また別の種類は「写真専用紙」とすることができる。よって、画像処理ユニット５４は、上記属性に従ってラスタ画像を生成するために、ラスタ化段階において画像処理属性を考慮に入れるのに適している。
【００２２】
印刷設定は、印刷ジョブに割り当てられる、ラスタ画像に影響を与えないパラメータである。例としては、割り当てられる印刷媒体用出力トレー、紙の向き、ステープルの有無、綴じ方、裁ち方などの仕上げ方、印刷されるセット数などである。
【００２３】
ワークステーション２８、３０、または３２のいずれかからユーザによって印刷ジョブが実行依頼されると、印刷装置１の制御ユニット５２は、入ってくる印刷ジョブをハードディスク５０の所定の領域に格納する。次いで、制御ユニット５２は、画像処理属性および印刷設定に従って印刷ジョブの印刷プロセスを実行するために、様々なタスクを実行する。
【００２４】
ＣＰＵ４０は、実行依頼されている、ＨＤ５０に格納された印刷ジョブを読み出し、ユーザによって設定された画像処理属性に従って、適切なラスタ画像を獲得するように画像処理ユニット５４を制御する。また、ＣＰＵ４０は、ラスタ画像、および、印刷ジョブに含まれる、ユーザによって設定された印刷設定に従って適切な印刷結果を獲得するように印刷エンジン２も制御する。
【００２５】
ユーザは、印刷エンジン２が位置する場所まで行き、紙上の最初に印刷された部分を確認した後で、自分が選択した画像処理属性が誤っていることに気付くことがある。これは、ほとんど、間違いの結果として起こる。ユーザは、ワークステーション上で動作するクライアントアプリケーションから、自分が実際に選択したものとは別の属性を選択しようとしていた可能性もあり、あるいは、上記アプリケーションからの表示された選択肢の意味を取り違えていた可能性もある。ユーザが、ある一定の目的に最適な属性を選択するために、印刷画像に対する様々な画像処理属性の効果を試そうとする場合もある。
【００２６】
図３に示す流れ図には、本発明の一実施形態による方法のステップが示されている。印刷プロセスがアクティブである間に、ＣＰＵ４０は、制御パネル１４の検出情報に基づいて、ユーザがローカルユーザインタフェース１２を介して印刷取消し命令を入力したかどうかチェックする。図４には、表示ユニット１３とキーパネル１４を備えるローカルユーザインタフェースユニット１２が示されている。表示ユニット１３上には、印刷される印刷ジョブの多数の画像処理属性が示される操作ウィンドウ１３０が表示されている。図４の例において、選択された印刷品質は、「プレゼンテーション」タイプのものであり、カラーモードは「カラー」であり、選択された印刷媒体の種類はコード３を有する。図４には限られた数の画像処理属性だけしか示されていないが、実際には、前述のような、他の画像処理属性が表示されてもよい。制御パネル１４は、テンキーパッド１４１、開始キー１４６、ユーザの命令を入力するのに使用される選択キー１４０、１４２、１４４、取消しキー１４８といった、機械的ハードウェアキーを含む。
【００２７】
ユーザは、画像が帯状に印刷される間に自分の選択した画像処理属性が誤っていることに気付くと、ローカルユーザインタフェース１２の制御パネル１４上の取消しキー１４８を押す。その結果、ローカルユーザインタフェースユニット１２は、制御ユニット５２に取消し命令を送る。ステップＳ２（図３参照）で、制御ユニット５２は、取消し命令を受け取る。次いで、制御ユニット５２は、アクティブな印刷プロセスを取り消すコマンドを印刷エンジン２に発行する。その結果、ステップＳ４で、アクティブな印刷プロセスが停止され、印刷エンジン２のキャリッジ上に装着された印刷ヘッドが画像を帯状に印刷するのを停止する。
【００２８】
ステップＳ２の結果として、制御ユニットはローカルユーザインタフェースユニット１２に、ユーザが、印刷ジョブの画像処理属性が変更され得る、いわゆるＣＪＡ（ジョブ属性変更）モードに入ることを可能にする、コマンドを発行する。図５に示すように、ローカルユーザインタフェースユニットは、表示ユニット１３上に操作選択ウィンドウ１３２を表示させる。ユーザは、意図せずに取消しボタン１４８が押された場合の、以前のアクティブな印刷ジョブを再開する「再開」と、印刷ジョブの画像処理属性を変更する「ＣＪＡ」と、印刷ジョブを永続的に消去する「打ち切り」という異なる選択肢の間で、選択を行うことが可能になる。選択キー１４２およびパッド１４１からの確認キーを押すと、ユーザは選択したオプションを入力することができる。
【００２９】
この例では、ユーザは、印刷ジョブの画像処理属性を変更するＣＪＡオプションの選択を入力するために、選択キー１４２および確認キーを使用する。
【００３０】
その後、図６に示すように、ローカルユーザインタフェースユニット１２は、表示ユニット１３上にＣＪＡ（ジョブ属性変更）操作ウィンドウ１３４を表示させる。選択メニュー１３４は、印刷ジョブの画像処理属性の変更を可能にする。キーパネル１４上で、選択キー１４０は、今度は、ユーザが印刷品質の変更を入力することを可能にし、キー１４２は、ユーザがカラーモードの変更を入力することを可能にし、キー１４４は、ユーザが（１、２または３で符号化されている）印刷媒体の種類の変更を入力することを可能にする。これらの変更は、ユーザによって、例えば図６に示すように入力される。変更された画像処理属性は、印刷品質（「リリース」印刷モードに変更された）および印刷媒体の種類（符号１を有する種類に変更された）に関するものである。
【００３１】
次いで、ローカルユーザインタフェース１２は、変更された画像処理属性を制御ユニット５２に送る。ステップＳ６で、制御ユニットは、変更された画像処理属性を受け取る。次いで、ＣＰＵ４０は、画像処理ユニット５４に、変更された画像処理属性を有する印刷ジョブをラスタ画像に変換するコマンドを発行する。ラスタ画像は、ユーザの、多数の画像処理属性を変更するよう求める命令により変更されることになるため、再度印刷ジョブを変換することが必要になる。実行依頼された印刷ジョブは、前もって、ハードディスク５０の所定の領域に格納されている。したがって、印刷されるべき画像データがまだ制御ユニット５２のメモリ手段上で利用できるので、画像処理ユニット５４は、変更された画像処理属性を有する印刷ジョブを変換することができる。
【００３２】
その結果、画像処理ユニット５４は、ステップＳ８で、変更された画像処理属性を有する印刷ジョブの変換を実行する。よって、変更されたラスタ画像が獲得される。ステップＳ１０で、変更された画像処理属性による印刷ジョブの印刷プロセスがアクティブ化される。
【００３３】
変更された画像処理属性を有する印刷ジョブのラスタ画像への変換が完了次第、変更された画像処理属性を有する印刷ジョブの印刷プロセスをアクティブ化するコマンドが、ＣＰＵ４０によって自動的に発行され得る。
【００３４】
代替として、ローカルユーザインタフェースユニットを介して再開命令を受け取り次第、変更された画像処理属性を有する印刷ジョブの印刷プロセスをアクティブ化するコマンドがＣＰＵによって発行されてもよい。そのような場合、ユーザは、制御パネル１４から適切なキーを押すことによって再開命令を入力する。
【００３５】
次いで、新しい印刷プロセスがアクティブになり、印刷エンジン２のキャリッジ上に装着された印刷ヘッドは、変更された画像処理属性を有する印刷ジョブに従って画像を帯状に印刷し始める。
【００３６】
図７に、本発明の別の実施形態による印刷装置を示す。印刷装置１は、印刷エンジン２と、印刷エンジン２のすぐそばの場所に位置する印刷サーバ２６とを備える。印刷エンジン２は、データを交換するように構成された接続ケーブル２４を介して印刷サーバ２６に接続される。印刷サーバ２６は、さらに、ケーブル１７の形で接続が図示されているネットワークＮに接続される。印刷サーバ２６は、リモートワークステーション（図示せず）からネットワークＮを介して実行依頼される印刷ジョブを受け取るのに適している。印刷サーバ２６は、実行依頼された、画像処理属性および印刷設定を有する印刷ジョブが、印刷エンジン２によって、確実に、印刷媒体上にしかるべく印刷されるようにする。そのタスクを実行するために、印刷サーバ２６には、図２に示す制御ユニット５２と同じ構成要素を備えるコントローラが設けられる。印刷サーバのコントローラは、中央処理装置（ＣＰＵ）４０、ランダムアクセスメモリ（ＲＡＭ）４８、読取り専用メモリ（ＲＯＭ）６０、ネットワークカード４６、ハードディスク（ＨＤ）５０、バスシステム４２および画像処理ユニット５４を備える。印刷サーバ２６は、さらに、動作可能に接続された入力手段と表示手段とからなる、ローカルユーザインタフェースユニットも備える。入力手段は、ユーザが命令を入力することを可能にするキーボード１８とマウス２０を備えていてもよく、表示手段はモニタ２２を備える。印刷サーバ２６には、実行依頼された印刷ジョブを管理する印刷待ち行列マネージャが設けられていてもよい。印刷サーバのコントローラは、画像処理属性を有する印刷ジョブをラスタ画像に変換し、ローカルユーザインタフェースユニット１８、２０、２２を介して入力された取消し命令を受け取り次第、画像処理属性を有する印刷ジョブのアクティブな印刷プロセスを取り消すように構成される。
【００３７】
本発明の一実施形態によれば、印刷サーバのコントローラは、ローカルユーザインタフェース１８、２０、２２を介してアクティブな印刷ジョブが取り消されたときに、ローカルユーザインタフェースユニット１８、２０、２２を介して入力される変更された画像処理属性を受け取り、変更された画像処理属性を有する印刷ジョブをラスタ画像に変換するように構成される。
【図面の簡単な説明】
【００３８】
【図１】本発明の一実施形態による印刷装置を備える印刷システムを示す概略図である。
【図２】本発明の一実施形態による印刷装置を示す概略図である。
【図３】本発明の一実施形態による方法を示す流れ図である。
【図４】本発明の一実施形態による印刷装置で使用するためのローカルユーザインタフェースユニットの表示ユニットを表す図である。
【図５】本発明の一実施形態による印刷装置で使用するためのローカルユーザインタフェースユニットの表示ユニットを表す図である。
【図６】本発明の一実施形態による印刷装置で使用するためのローカルユーザインタフェースユニットの表示ユニットを表す図である。
【図７】本発明の別の実施形態による印刷装置を示す概略図である。
【符号の説明】
【００３９】
１  印刷装置
２  印刷エンジン
３  コード
４  インク容器
６  ペーパーロール
８  排紙トレー
１０  ハウジング
１２  ローカルユーザインタフェースユニット
１３  表示ユニット
１４  制御パネル
１７  ケーブル
１８  キーボード
２０  マウス
２２  モニタ
２４  接続ケーブル
２６  印刷サーバ
２８、３０、３２  ワークステーション
４０  中央処理装置（ＣＰＵ）
４６  ネットワークカード
４８  ランダムアクセスメモリ（ＲＡＭ）
５０  ハードディスク（ＨＤ）
５２  制御ユニット
５４  画像処理ユニット
６０  読取り専用メモリ（ＲＯＭ）
１３０  操作ウィンドウ
１３２  操作選択ウィンドウ
１３４  ＣＪＡ（ジョブ属性変更）操作ウィンドウ
１４０、１４２、１４４  選択キー
１４１  テンキーパッド
１４６  開始キー
１４８  取消しキー
【図１】
2007066308.tif 000003
【図２】
2007066308.tif 000004
【図３】
2007066308.tif 000005
【図４】
2007066308.tif 000006
【図５】
2007066308.tif 000007
【図６】
2007066308.tif 000008
【図７】
2007066308.tif 000009
【外国語明細書】
2007066308.tif 000010
2007066308.tif 000011
2007066308.tif 000012
2007066308.tif 000013
2007066308.tif 000014
2007066308.tif 000015
2007066308.tif 000016
2007066308.tif 000017
2007066308.tif 000018
2007066308.tif 000019
2007066308.tif 000020
2007066308.tif 000021
2007066308.tif 000022
2007066308.tif 000023
2007066308.tif 000024
2007066308.tif 000025
2007066308.tif 000026